【事件の表示】
　特願２０１５−１１３５５４号「遊技機」拒絶査定不服審判事件〔平成２８年　１月２８日出願公開、特開２０１６−　１３４２３号〕について、次のとおり審決する。
【結　論】
　本件審判の請求は、成り立たない。
【理　由】
第１　手続の経緯
　本願は、平成２７年６月４日（優先権主張日：平成２６年６月１３日）の出願であって、平成２８年５月２７日付けで拒絶の理由が通知され、同年８月１日に意見書及び手続補正書が提出され、平成２９年２月８日付けで最後の拒絶の理由が通知され、同年４月１１日に意見書及び手続補正書が提出され、同年８月１４日付けで最後の拒絶の理由が通知され、同年１０月２０日に意見書及び手続補正書が提出されたところ、平成３０年３月１９日付け（発送日：同年３月２７日）で、平成２９年１０月２０日付け手続補正が却下されるとともに拒絶査定がなされ、それに対して、平成３０年６月４日に拒絶査定不服審判の請求がなされると同時に手続補正がなされ、これに対し、当審において、平成３１年１月１６日付けで拒絶の理由が通知され、同年３月１１日に意見書及び手続補正書が提出されたものである。
第２　本願発明について 
１．本願発明
　本願の請求項１に係る発明（以下、「本願発明」という。）は、平成３１年３月１１日付けの手続補正書により補正された特許請求の範囲の請求項１に記載されたとおりのものである（符号Ａ〜Ｆは、当審にて分説して付した。）。 
　本願発明
「【請求項１】
Ａ　大きさが一定である開口が形成された固定部材と、
Ｂ　前記開口の内側を通るように移動することで前記開口の一方側で露出する部分の大きさが変化する移動部材と、
を備え、
Ｃ　前記移動部材は、
前記開口を通過する部分であって、側方から視認可能となるように形成された装飾部と、
Ｄ　前記装飾部の外側に設けられ、無色透明な材料で形成された被覆部と、
を有し、
Ｅ　これら装飾部および被覆部が一体的に移動するものであり、
Ｆ　前記装飾部は、前記移動部材が移動することにより、前記開口の一方側で露出して前記被覆部を通じて側方から視認可能となる部分の大きさが変化するものであることを特徴とする遊技機。」
２．当審における拒絶理由 
　当審において、平成３１年１月１６日付けで通知した拒絶の理由は、概略、次のとおりのものである。
　（進歩性）本願発明は、その出願前に日本国内又は外国において、頒布された下記の刊行物に記載された発明又は電気通信回線を通じて公衆に利用可能となった発明に基いて、その出願前にその発明の属する技術の分野における通常の知識を有する者が容易に発明をすることができたものであるから、特許法第２９条第２項の規定により特許を受けることができない。 
 　　　　　　　　　　　　　　　　　記 
　引用文献１　特開２０１３−４８７０８号公報
３．引用文献１に記載の事項 
　当審における拒絶の理由に引用された、本願優先権主張日前に頒布された刊行物である引用文献１には図面とともに以下の事項が記載されている（下線は当審にて付した。）。
　ア　　明細書の記載事項
「【００１７】
　本
パチンコ機１
開口を有する枠体状の外枠６と、遊技盤３を支持した形で外枠６に開閉可能に支持された前扉７とを有しており
【００１９】
　そして、
前扉７における下部中央には皿ユニット１６が設けられており
皿ユニット１６の中央上方には、遊技参加ボタンとして機能する押しボタン装置５０が配設されている。
・・・
【００３０】
　次に、本実施の形態における押しボタン装置５０の構造を図３〜図１０に基づいて説明する。
図３〜図５は押しボタン装置５０の、操作が加えられていない通常の状態を示すものであり、図６、図７は押しボタン装置５０の押し込み時の状態を示すものである。
【００３１】
　図８〜図１０に示すように、
押しボタン装置５０は、第１〜第３の部位５０Ａ〜５０Ｃを有し、第１の部位５０Ａは、ベゼル５０１、皿前ボタン５０２、十字装飾５０３、及びインナーレンズ５０４を有している。また、第２の部位５０Ｂは、プランジャ５０５、遮光ケース５０６、導光スティック５０７、ＬＥＤセンサ基板５０８、及びボタン基板ベース５０９を有している。
【００３２】
　これらのうち第１の部位５０Ａの
ベゼル５０１は、合成樹脂材料を環状に成型してなるものであり、中央に穴部５０１ａを有するとともに、全体に金メッキ処理が施されている。また、ベゼル５０１の、外側へ低く傾斜した表面には、所定のデザインの凹凸からなる装飾部５０１ｂが設けられている。
【００３３】
　上記
皿前ボタン５０２は、透明な合成樹脂材料を楕円の皿状に成形して成るものであり、押圧面５０２ａや多数のカット面５０２ｂ，…等を有している。そして、皿前ボタン５０２は、図５（ａ）中に示すように、上記ベゼル５０１に下側から進入しており、押圧面５０２ａや多数のカット面５０２ｂ，…等を穴部５０１ａから露出させている。
【００３４】
　
上記十字装飾５０３は、合成樹脂材料を十字の骨組み状に成型してなるものであり、蒸着により赤色に彩色されている。また、上記インナーレンズ５０４は、透明な合成樹脂材料を、上面に所定の凹凸を有する楕円状に成型してなるもので、このインナーレンズ５０４の上面の凹部には、上記十字装飾５０３が嵌め込まれている。
【００３５】
　上記
第２の部位５０Ｂの上記プランジャ５０５は
プランジャ５０５には、十字装飾５０３、インナーレンズ５０４が共締めにより連結されている。
・・・
【００３９】
　・・・そして、
遮光ケース５０６等が固定されたボタン基板ベース５０９と上記ベゼル５０１との間には、上記皿前ボタン５０２が、十字装飾５０３等が固定されたプランジャ５０５とともに挟み込まれた状態で保持されている。
・・・
【００４５】
　次に、押しボタン装置５０の構造的な作用について説明する。
遊技中に皿前ボタン５０２が遊技者によって押されると、その押圧力がプランジャ５０５に伝わり、プランジャ５０５が、バネ５１０を圧縮しながら、図７（ａ），（ｂ）に示すように、下方に移動する。
・・・」
　イ　　図面の記載、上記明細書から摘記した事項、及び、図面の簡単な説明から認定される事項
　イ−１　図３（ａ）は、押しボタン装置の通常時の外観を示す図のうち、押しボタン装置の正面図、（ｂ）は押しボタン装置の平面図であり（【図面の簡単な説明】）、
　押しボタン装置は１２枚のカット面５０２ｂを有し、押しボタン装置が押し込まれていない通常時には、押しボタン装置５０の押圧面５０２ａのパチンコ機１の正面側（図面手前側）に、すべて露出している状態のカット面５０２ｂが６枚配置され、さらに、ボタン装置５０の当該カット面５０２ｂに連なって下側に折れ曲がっている部位まで、ベゼル５０１の装飾部５０１ｂから上方側に露出している状態となっていること（【００３３】、図３（ａ）、図３（ｂ））。
　【図３】
　イ−２　図６（ａ）は、押しボタン装置の押し込み時の外観を示す図のうち、押しボタン装置の正面図であり（【図面の簡単な説明】）、押しボタン装置の押し込み時には、押しボタン装置５０の押圧面５０２ａのパチンコ機１の正面側（図面手前側）に、カット面５０２ｂがベゼル５０１に一部隠れている状態かあるいはすべて露出している状態で６枚配置され、さらに、ボタン装置５０の当該カット面５０２ｂに連なって下側に折れ曲がっている部位は、ベゼル５０１に隠れている状態となっていること（【００３３】、図６（ａ））。
　【図６】
　イ−３　「透明」とは、「すきとおること。くもりなく明らかなこと。」（広辞苑、新村出編者、平成２年１月８日第三版第八刷、株式会社岩波書店発行）を意味するから、人が、透明な合成樹脂材料を楕円の皿状に成形して成る「皿前ボタン５０２」を介してその背面側にある物体を見ても、当該物体は視認可能であり、「皿前ボタン５０２」が存在することにより隠れるものではないこと。
　イ−４　図８は、押しボタン装置のベゼル５０１、皿前ボタン５０２、十字装飾５０３、及びインナーレンズ５０４を有している第１の部位５０Ａを示す分解斜視図であり（【図面の簡単な説明】、【００３１】）、
　透明な合成樹脂材料を上面に所定の凹凸を有する楕円状に成型してなるインナーレンズ５０４の上面の凹部に嵌め込まれる、合成樹脂材料を十字の骨組み状に成型してなる十字装飾５０３（【００３４】）は、十字の骨組み状を形成する上面と、前記上面に連なるとともに下側に折れてインナーレンズ５０４の上面の凹部に嵌め込まれる方向である高さ方向に延び、かつ外周を形成する側面とを有すること（【００３１】、【００３８】、図８）。
　【図８】
　イ−５　図５（ａ）は押しボタン装置の通常時の外観を示す図のうち、押しボタン装置の正面図である図３（ａ）のＡ−Ａ線で切断した状態を示す断面図であり、図７（ａ）は押しボタン装置の押し込み時の外観を示す図のうち、押しボタン装置の正面図である図６（ａ）のＣ−Ｃ線で切断した状態を示す断面図である（【図面の簡単な説明】）。
・押しボタン装置５０は、パチンコ機１側（図面右側）からパチンコ機１の正面側（図面左側）に向かって下方に傾斜して配置され、押しボタン装置５０が有するベゼル５０１、皿前ボタン５０２、十字装飾５０３、及びインナーレンズ５０４も同様にパチンコ機１側（図面右側）からパチンコ機１の正面側（図面左側）に向かって下方に傾斜して配置されていること（【００３１】、図３（ａ）、図３（ｂ）、図５（ａ）、図６（ａ）、図７（ａ））。
・皿前ボタン５０２は、押圧面５０２ａ及び１２枚のカット面５０２ｂを有する楕円の下開放である皿状の空間内に、皿前ボタン５０２に挟み込まれた状態で保持されている十字装飾５０３及びインナーレンズ５０４が固定されたプランジャ５０５が位置していること（【００３３】、【００３９】、図３（ａ）、図３（ｂ）、図５（ａ）、図６（ａ）、図７（ａ））。
・押しボタン装置５０が押し込まれていない通常時では、パチンコ機１の正面側（図面左側）の側方から見ると、透明な合成樹脂材料を楕円の下開放である皿状に成形して成る皿前ボタン５０２に覆われた空間に位置する十字装飾５０３の上面のすべてと、前記正面側に面する十字装飾５０３の側面のうち上方の一部分が、パチンコ機１の正面側（図面左側）に面したベゼル５０１の装飾部５０１ｂの最上部よりも上方に位置するので、前記十字装飾５０３の上面のすべてと、前記正面側に面する十字装飾５０３の側面のうち上方の一部分を隠すものが存在しないが、前記正面側に面する十字装飾５０３の側面のうちベゼル５０１の装飾部５０１ｂの最上部よりも下方に位置する部分はベゼル５０１によって隠れた状態である一方（【００３１】、【００３４】、【００３８】、図３（ａ）、図５（ａ）、図８、イ−３、イ−４）、
　押しボタン装置５０の押し込み時では、パチンコ機１の正面側（図面左側）の側方から見ると、透明な合成樹脂材料を楕円の下開放である皿状に成形して成る皿前ボタン５０２に覆われた空間に位置する十字装飾５０３の上面の大部分が、パチンコ機１の正面側（図面左側）に面したベゼル５０１の装飾部５０１ｂの最上部よりも上方に位置するが、前記正面側に面する十字装飾５０３の側面は、パチンコ機１の正面側（図面左側）に面したベゼル５０１の装飾部５０１ｂの最上部よりも下方に位置するので、前記十字装飾５０３の上面の大部分を隠すものが存在しないが、前記正面側に面する十字装飾５０３の側面はベゼル５０１によって隠れた状態であること（【００３１】、【００３４】、【００３８】、図６（ａ）、図７（ａ）、図８、イ−３、イ−４）。
　【図５】
　【図７】
４．引用発明 
　上記３．ア及びイを参照すると、引用文献１には、以下の引用発明が記載されていると認められる（ａ〜ｆは、本願発明のＡ〜Ｆに対応させて付与した。）。 
　引用発明 
「ａ　開口を有する枠体状の外枠６と、遊技盤３を支持した形で外枠６に開閉可能に支持された前扉７とを有し、前扉７における下部中央には皿ユニット１６が設けられており、皿ユニット１６の中央上方には、遊技参加ボタンとして機能する押しボタン装置５０が配設され、押しボタン装置５０は、第１〜第３の部位５０Ａ〜５０Ｃを有し、第１の部位５０Ａは、ベゼル５０１、皿前ボタン５０２、十字装飾５０３、及びインナーレンズ５０４を有し、
　中央に穴部５０１ａを有する合成樹脂材料を環状に成型してなり、全体に金メッキ処理が施されたベゼル５０１と（【００１７】、【００１９】、【００３１】−【００３３】）、
ｂ　上記皿前ボタン５０２は、透明な合成樹脂材料を押圧面５０２ａ及び１２枚のカット面５０２ｂを有する楕円の下開放である皿状に成形して成るものであり、皿前ボタン５０２は、上記ベゼル５０１に下側から進入しており、押圧面５０２ａ及び１２枚のカット面５０２ｂ等をベゼル５０１の中央の穴部５０１ａから露出させ、
　押しボタン装置５０の前記第２の部位５０Ｂは、プランジャ５０５及びボタン基板ベース５０９等を有し、前記プランジャ５０５には、十字装飾５０３及びインナーレンズ５０４が共締めにより連結され、前記ボタン基板ベース５０９と前記ベゼル５０１との間には、皿前ボタン５０２が、十字装飾５０３及びインナーレンズ５０４が固定されたプランジャ５０５とともに挟み込まれた状態で保持されていて（【００３１】−【００３５】、【００３８】、【００３９】、図３（ａ）、図３（ｂ）、図５（ａ）、図６（ａ）、図７（ａ）、図８、イ−１、イ−３、イ−４、イ−５）、
　遊技中に皿前ボタン５０２が遊技者によって押される押しボタン装置５０の押し込み時には、その押圧力がプランジャ５０５に伝わり、プランジャ５０５が、バネ５１０を圧縮しながら下方に移動して（【００４５】）、
　押しボタン装置５０が押し込まれていない通常時には、押しボタン装置５０の押圧面５０２ａのパチンコ機１の正面側に、すべて露出している状態のカット面５０２ｂが６枚配置され、さらに、押しボタン装置５０の当該カット面５０２ｂに連なって下側に折れ曲がっている部位まで、ベゼル５０１の装飾部５０１ｂから上方側に露出している状態となっている一方（【００３３】、図３（ａ）、イ−１）、
　押しボタン装置の押し込み時には、押しボタン装置５０の押圧面５０２ａのパチンコ機１の正面側に、カット面５０２ｂがベゼル５０１に一部隠れている状態かあるいはすべて露出している状態で６枚配置され、さらに、ボタン装置５０の当該カット面５０２ｂに連なって下側に折れ曲がっている部位は、ベゼル５０１に隠れている状態となっていている（【００３３】、図６（ａ）、イ−２）、
　皿前ボタン５０２と、
を備え、
ｃ、ｄ’、ｅ、ｆ　前記十字装飾５０３及びインナーレンズ５０４が固定されたプランジャ５０５とともに挟み込まれた状態で保持されている皿前ボタン５０２は、皿前ボタン５０２の下開放である皿状の空間に、皿前ボタン５０２に挟み込まれた状態で保持されている十字装飾５０３及びインナーレンズ５０４が固定されたプランジャ５０５が位置し、
　上面に所定の凹凸を有する楕円状に成型してなるインナーレンズ５０４の上面の凹部には、合成樹脂材料を十字の骨組み状に成型して蒸着により赤色に彩色されている十字装飾５０３が嵌め込まれ、
　前記十字装飾５０３は、十字の骨組み状を形成する上面と、前記上面に連なるとともに下側に折れてインナーレンズ５０４の上面の凹部に嵌め込まれる方向である高さ方向に延び、かつ外周を形成する側面とを有し、
　押しボタン装置５０の皿前ボタン５０２、及び、皿前ボタン５０２の下開放である皿状の空間に位置する十字装飾５０３及びインナーレンズ５０４はともに、パチンコ機１側からパチンコ機１の正面側に向かって下方に傾斜して配置され、
　パチンコ機１の正面側の側方から見ると、
　押しボタン装置５０が押し込まれていない通常時では、透明な合成樹脂材料を楕円の下開放である皿状に成形して成る皿前ボタン５０２に覆われた空間に位置する十字装飾５０３の上面のすべてと、前記正面側に面する十字装飾５０３の側面のうち上方の一部分が、パチンコ機１の正面側に面したベゼル５０１の装飾部５０１ｂの最上部よりも上方に位置するので、前記十字装飾５０３の上面のすべてと、前記正面側に面する十字装飾５０３の側面のうちパチンコ機１の正面側に面したベゼル５０１の装飾部５０１ｂの最上部よりも上方に位置する上方の一部分を隠すものが存在しないが、前記正面側に面する十字装飾５０３の側面のうちベゼル５０１の装飾部５０１ｂの最上部よりも下方に位置する部分はベゼル５０１によって隠れた状態である一方、
　押しボタン装置５０の押し込み時では、透明な合成樹脂材料を楕円の下開放である皿状に成形して成る皿前ボタン５０２に覆われた空間に位置する十字装飾５０３の上面の大部分が、パチンコ機１の正面側に面したベゼル５０１の装飾部５０１ｂの最上部よりも上方に位置するが、前記正面側に面する十字装飾５０３の側面は、パチンコ機１の正面側に面したベゼル５０１の装飾部５０１ｂの最上部よりも下方に位置するので、前記十字装飾５０３の上面の大部分を隠すものが存在しないが、少なくとも前記正面側に面する十字装飾５０３の側面すべてがベゼル５０１によって隠れた状態である（【００３１】、【００３３】、【００３４】、【００３８】、【００３９】、図３（ａ）、図３（ｂ）、図５（ａ）、図６（ａ）、図７（ａ）、図８、イ−１ないしイ−５）、
  パチンコ機１（【００１７】）。」
５．対比
　本願発明と引用発明とを、分説に従い対比する。 
　ア　　発明特定事項Ａについて
　引用発明の
　「穴部５０１ａ」、
　「皿ユニット１６」に配設された「押しボタン装置５０」の「ベゼル５０１」はそれぞれ、
　本願発明の
　「大きさが一定である開口」、
　「固定部材」に相当する。
　よって、引用発明は、本願発明の発明特定事項Ａに相当する構成を備えるといえる。　
　イ　　発明特定事項Ｂについて
　引用発明の「押しボタン装置５０」は、「前記プランジャ５０５には、十字装飾５０３及びインナーレンズ５０４が共締めにより連結され、前記ボタン基板ベース５０９と前記ベゼル５０１との間には、皿前ボタン５０２が、十字装飾５０３及びインナーレンズ５０４が固定されたプランジャ５０５とともに挟み込まれた状態で保持」されているから、「遊技中に皿前ボタン５０２が遊技者によって押される押しボタン装置５０の押し込み時には、その押圧力がプランジャ５０５に伝わり、プランジャ５０５が、バネ５１０を圧縮しながら下方に移動」することは、すなわち、「皿前ボタン５０２」、「十字装飾５０３」、「インナーレンズ５０４」及び「プランジャ５０５」が、下方に移動することを意味している。したがって、引用発明の 「皿前ボタン５０２」、「十字装飾５０３」及び「インナーレンズ５０４」は、本願発明の「移動部材」に相当する。
　引用発明の「皿前ボタン５０２」（本願発明の「移動部材」に相当。）は、「上記ベゼル５０１に下側から進入しており、押圧面５０２ａ及び１２枚のカット面５０２ｂ等をベゼル５０１の中央の穴部５０１ａから露出」している。そしてさらに、引用発明における「皿前ボタン５０２」の「ベゼル５０１」の「穴部５０１ａ」から「露出」している部位は、「押しボタン装置５０が押し込まれていない通常時には、押しボタン装置５０の押圧面５０２ａのパチンコ機１の正面側に、すべて露出している状態のカット面５０２ｂが６枚配置され、さらに、ボタン装置５０の当該カット面５０２ｂに連なって下側に折れ曲がっている部位まで、ベゼル５０１の装飾部５０１ｂから上方側に露出している状態となっている一方、
　押しボタン装置５０の押し込み時には、押しボタン装置５０の押圧面５０２ａのパチンコ機１の正面側に、カット面５０２ｂがベゼル５０１に一部隠れている状態かあるいはすべて露出している状態で６枚配置され、さらに、ボタン装置５０の当該カット面５０２ｂに連なって下側に折れ曲がっている部位は、ベゼル５０１に隠れている状態」となっている。
　それゆえ、引用発明において、「遊技中に皿前ボタン５０２が遊技者によって押され」て「下方に移動」することにより、「押しボタン装置５０が押し込まれていない通常時」には、「ボタン装置５０の当該カット面５０２ｂに連なって下側に折れ曲がっている部位まで、ベゼル５０１の装飾部５０１ｂから上方側に露出している状態」であったのが、「押しボタン装置５０の押し込み時」には、「ボタン装置５０の当該カット面５０２ｂに連なって下側に折れ曲がっている部位は、ベゼル５０１に隠れている状態となって」いる」。すなわち、引用発明は、「押しボタン装置が押し込まれていない通常時」と「押しボタン装置の押し込み時」とを較べると、少なくとも、「ボタン装置５０の当該カット面５０２ｂに連なって下側に折れ曲がっている部位」が、「皿前ボタン５０２」の「ベゼル５０１」の「穴部５０１ａ」（本願発明の「開口」に相当。）から「露出」しているか否かで異なっているから、引用発明は、「前記開口の内側を通るように移動することで前記開口の一方側で露出する部分の大きさが変化する」ものということができる。
　よって、引用発明は、本願発明の発明特定事項Ｂに相当する構成を備えるといえる。　
　ウ　　発明特定事項Ｃについて
  引用発明の「十字装飾５０３」及び「インナーレンズ５０４」は、「上面に所定の凹凸を有する楕円状に成型してなるインナーレンズ５０４の上面の凹部には、合成樹脂材料を十字の骨組み状に成型して蒸着により赤色に彩色されている十字装飾５０３が嵌め込まれ」ることにより一体となっている構成であって、「十字装飾５０３」をわざわざ「赤色に彩色」していることは、まさに装飾を目的として外部から視認可能とするためであることは明らかであるから、これらは、本願発明の「装飾部」に相当する。
　また、引用発明の「皿前ボタン５０２」は、「透明な合成樹脂材料を押圧面５０２ａ及び１２枚のカット面５０２ｂを有する楕円の皿状に成形して成る」（構成ｂ）ものであり、上記３．イ−３のとおり、「透明」とは、「すきとおること。くもりなく明らかなこと。」を意味するから、遊技者が、透明な合成樹脂材料を楕円の下開放である皿状に成形して成る「皿前ボタン５０２」を介してその背面側にある物体を見ると、当該物体は、「皿前ボタン５０２」が存在することにより隠れるものではなく視認可能であるといえる。
　そうすると、引用発明の「押しボタン装置５０の皿前ボタン５０２、及び、皿前ボタン５０２の下開放である皿状の空間に位置する十字装飾５０３及びインナーレンズ５０４」はともに、「パチンコ機１側からパチンコ機１の正面側に向かって下方に傾斜して配置され」ているから、引用発明が、「パチンコ機１の正面側の側方から見ると」、「押しボタン装置５０が押し込まれていない通常時では」、「前記十字装飾５０３の上面のすべてと、前記正面側に面する十字装飾５０３の側面のうち上方の一部分を隠すものが存在しない」こと、及び、「押しボタン装置５０の押し込み時では」、「前記十字装飾５０３の上面の大部分を隠すものが存在しないが、前記正面側に面する十字装飾５０３の側面はベゼル５０１によって隠れた状態である」ことは、すなわち、「パチンコ機１の正面側の側方から見ると」、「押しボタン装置５０が押し込まれていない通常時では」、「前記十字装飾５０３の上面のすべてと、前記正面側に面する十字装飾５０３の側面のうち上方の一部分」が視認可能であり、また、「押しボタン装置５０の押し込み時では」、「前記十字装飾５０３の上面の大部分」が視認可能であるといえるから、引用発明の「十字装飾５０３が嵌め込まれ」た「インナーレンズ５０４」（本願発明の「装飾部」に相当。）は、「側方から視認可能となるように形成された装飾部」であるということができる。
　また、上記イにおいて判断を示したとおり、引用発明の「皿前ボタン５０２」は、「前記開口の内側を通るように移動する」（発明特定事項Ｂ）ものであるから、引用発明の「皿前ボタン５０２」の「下開放である皿状の空間」に位置する「インナーレンズ５０４及び十字装飾５０３」（本願発明の「装飾部」に相当。）も、同様に、「前記開口を通過する部分」（発明特定事項Ｃ）であるということができる。
　よって、引用発明は、本願発明の発明特定事項Ｃに相当する構成を備えるといえる。　
　エ　　発明特定事項Ｄについて
　引用発明の「インナーレンズ５０４及び十字装飾５０３」（本願発明の「装飾部」に相当。）は、「皿前ボタン５０２」の「下開放である皿状の空間」に位置するから、引用発明の「皿前ボタン５０２」は、本願発明の「被覆部」に相当する。
　また、引用発明の「皿前ボタン５０２」（本願発明の「被覆部」に相当。）は、「透明な合成樹脂材料」で成形されるから、「透明な材料で形成された」という限りで、本願発明の発明特定事項Ｄに共通する。
　よって、引用発明の構成ｃ、ｄ’、ｅ、ｆと本願発明の発明特定事項Ｄとは、「前記装飾部の外側に設けられ、透明な材料で形成された被覆部」であるという限りで共通する。
　オ　　発明特定事項Ｅについて
  上記イで検討したとおり、引用発明の「押しボタン装置５０」は、「前記プランジャ５０５には、十字装飾５０３及びインナーレンズ５０４が共締めにより連結され、前記ボタン基板ベース５０９と前記ベゼル５０１との間には、皿前ボタン５０２が、十字装飾５０３及びインナーレンズ５０４が固定されたプランジャ５０５とともに挟み込まれた状態で保持」されているから、「遊技中に皿前ボタン５０２が遊技者によって押される押しボタン装置５０の押し込み時には、その押圧力がプランジャ５０５に伝わり、プランジャ５０５が、バネ５１０を圧縮しながら下方に移動」することは、すなわち、「皿前ボタン５０２」、「十字装飾５０３」、「インナーレンズ５０４」及び「プランジャ５０５」が、下方に移動することを意味している。
　したがって、引用発明の 「皿前ボタン５０２」（本願発明の「被覆部」に相当。）、及び、「十字装飾５０３」及び「インナーレンズ５０４」（本願発明の「装飾部」に相当。）は「一体的に移動する」ということができるので、引用発明は、本願発明の発明特定事項Ｅに相当する構成を備えるといえる。　
　カ　　発明特定事項Ｆについて
　上記ウにおける検討に加え、引用発明の「十字装飾５０３」及び「インナーレンズ５０４」（本願発明の「装飾部」に相当。）は、「遊技者側の側方から見ると、透明な合成樹脂材料を成形して成る皿前ボタン５０２の下開放である皿状の空間に位置する」から、「前記装飾部は」、「前記被覆部を通じて側方から視認可能」であるということができる。
　そして、上記イで検討したとおり、引用発明の「遊技中に皿前ボタン５０２が遊技者によって押される押しボタン装置５０の押し込み時には、その押圧力がプランジャ５０５に伝わり、プランジャ５０５が、バネ５１０を圧縮しながら下方に移動」することは、すなわち、「皿前ボタン５０２」、「十字装飾５０３」、「インナーレンズ５０４」及び「プランジャ５０５」が、下方に移動することを意味しているから、引用発明の「十字装飾５０３」及び「インナーレンズ５０４」（本願発明の「装飾部」に相当。）は、「皿前ボタン５０２」、「十字装飾５０３」及び「インナーレンズ５０４」（本願発明の「移動部材」に相当。）とともに移動する部材であるといえる。
　ここで、上記ウで検討したとおり、引用発明の「十字装飾５０３」は、「パチンコ機１の正面側の側方から見ると」、「前記十字装飾５０３の上面のすべてと、前記正面側に面する十字装飾５０３の側面のうち上方の一部分」が視認可能であり、また、「押しボタン装置５０の押し込み時では」、「前記十字装飾５０３の上面の大部分」が視認可能であるといえるから、引用発明の「十字装飾５０３が嵌め込まれ」た「インナーレンズ５０４」（本願発明の「装飾部」に相当。）は、「押しボタン装置５０が押し込まれていない通常時」と「押しボタン装置５０の押し込み時」のいずれであっても、「側方から視認可能となるように形成された装飾部」（発明特定事項Ｃ）であるということができる。
　しかし、引用発明の「十字装飾５０３」が、「パチンコ機１の正面側の側方から見ると」、「押しボタン装置５０が押し込まれていない通常時では」、「前記正面側に面する十字装飾５０３の側面のうちベゼル５０１の装飾部５０１ｂの最上部よりも下方に位置する部分はベゼル５０１によって隠れた状態である」こと、及び、「押しボタン装置５０の押し込み時では」、「少なくとも前記正面側に面する十字装飾５０３の側面すべてがベゼル５０１によって隠れた状態である」ことは、すなわち、「パチンコ機１の正面側の側方から見ると」、「押しボタン装置５０が押し込まれていない通常時では」、「前記正面側に面する十字装飾５０３の側面のうちベゼル５０１の装飾部５０１ｂの最上部よりも下方に位置する大部分」が視認不可能となる一方、「押しボタン装置５０の押し込み時では」、「少なくとも前記正面側に面する十字装飾５０３の側面すべて」が視認不可能となっていることを表しているから、視認不可能となる部分の大きさは、後者の「押しボタン装置５０の押し込み時」の方が、前者の「押しボタン装置５０が押し込まれていない通常時」より大きいことは明らかである。
　したがって、引用発明は、本願発明の「前記開口の一方側で露出して前記被覆部を通じて側方から視認可能となる部分の大きさが変化するものである」ことに相当する構成を備えているといえる。
　また、引用発明の「パチンコ機１」は、本願発明の「遊技機」に相当する。
　よって、引用発明は、本願発明の発明特定事項Ｆに相当する構成を備えるといえる。
 ６．一致点及び相違点
　上記５．ア〜カによれば、本願発明と引用発明は、
「Ａ　大きさが一定である開口が形成された固定部材と、
Ｂ　前記開口の内側を通るように移動することで前記開口の一方側で露出する部分の大きさが変化する移動部材と、
を備え、
Ｃ　前記移動部材は、
前記開口を通過する部分であって、側方から視認可能となるように形成された装飾部と、
Ｄ’　前記装飾部の外側に設けられ、透明な材料で形成された被覆部と、
を有し、
Ｅ　これら装飾部および被覆部が一体的に移動するものであり、
Ｆ　前記装飾部は、前記移動部材が移動することにより、前記開口の一方側で露出して前記被覆部を通じて側方から視認可能となる部分の大きさが変化するものである遊技機。」
　の点で一致し、次の点で相違する。
　［相違点］（発明特定事項Ｄに関する）
　本願発明は、「前記装飾部の外側に設けられ、無色透明な材料で形成された被覆部」を有しているのに対し、引用発明の「インナーレンズ５０４及び十字装飾５０３」（本願発明の「装飾部」に相当。）の外側に設けられた「皿前ボタン５０２」（本願発明の「被覆部」に相当。）は、「透明な合成樹脂材料」で成形されるものの、引用発明の「透明な合成樹脂材料」の色が、「無色」であるか否かが明らかでない、つまり、その材料の色が、有色であるか、あるいは、「無色」であるかが明らかでない」点。
  
７．判断 
　上記の相違点について検討する。 
　内部を視認可能とするための被覆部を透明な材料で形成する場合、その材料を「無色透明な材料」とすることは、本願優先権主張日前における遊技機分野の慣用手段であって、例えば、特開２００７−３０１０９９号公報（遊技機に関し、操作部５０１を通して遊技者が演出部材５０２を視認するため、星を形どった可動の演出部材５０２が内部に配設された操作部５０１を、無色透明の材料から構成する技術が記載されている。【０００１】、【００２６】、図５Ｂ参照。）、特開２００５−３１９１６３号公報（遊技機に関し、内部の遊技球を視認可能とするために、遊技球が一列に整列させられる部位において、遊技球の上方を覆うようにカバー４０１が装着されて、前記カバー４０１を無色透明の樹脂材料により構成する技術が記載されている。【０００１】、【０１５５】、図２０参照。）、特開２０１１−５６０７３号公報（遊技機に関し、残数表示器７１をカバー部材７２を介して視認可能とするため、残数表示器７１の前側を覆うカバー部材７２を、無色透明の樹脂材料の射出成形によって形成する技術が記載されている。【０００１】、【００４６】、図３参照。）に示されるとおりである。
　そして、引用発明と上記慣用手段とは、遊技機という同一の技術分野に属し、かつ、上記５．ウに示したとおり、引用発明の「十字装飾５０３」をわざわざ「赤色に彩色」していることは、まさに装飾を目的として外部から視認可能とするためであることは明らかであるから、引用発明と上記慣用手段とは、被覆部を通じて内部を視認可能とするという課題も共通する。
　したがって、引用発明において、「インナーレンズ５０４及び十字装飾５０３」（本願発明の「装飾部」に相当。）を、「透明な合成樹脂材料」で成形される「皿前ボタン５０２」（本願発明の「被覆部」に相当。）を通じて視認するという課題を解決するために、「透明な合成樹脂材料」で成形される「皿前ボタン５０２」（本願発明の「被覆部」に相当。）を形成する材料として、本願優先権主張日前における遊技機分野の慣用手段である「無色透明な材料」を選択して、上記相違点に係る本願発明の構成とすることは、当業者の通常の創作能力の発揮にすぎず、当業者が容易になし得たものである。
　さらに別の観点から、被覆部を通じて内部を視認可能とするに際し、当該被覆部を形成する材料が、有色透明の材料であるよりも「無色透明」の材料である方がより視認性が高まることは明らかである。したがって、引用発明において、「インナーレンズ５０４及び十字装飾５０３」（本願発明の「装飾部」に相当。）を、「透明な合成樹脂材料」で成形される「皿前ボタン５０２」（本願発明の「被覆部」に相当。）を通じて視認するという課題を解決するために、どの程度の視認性を確保するかは、上で検討したとおり、有色透明の材料であるよりも「無色透明」の材料である方がより視認性が高まることを踏まえれば、「皿前ボタン５０２」（本願発明の「被覆部」に相当。）を形成する材料として、「無色透明な材料」を選択して、上記相違点に係る本願発明の構成とすることは、当業者が適宜なし得る設計的事項である。
　また、本願発明の効果は、引用発明、本願優先権主張日前における慣用手段から予測し得るものであるか、あるいは、引用発明から予測し得るものであって格別顕著なものということはできない。
８．請求人の主張について
　審判請求人は、当審が平成３１年１月１６日付けで通知した拒絶の理由に対する応答として、同年３月１１日付けで提出された意見書において、以下の主張をしているところ。
　「３．拒絶理由に対する反論
３−１）今般の拒絶理由通知において、引用文献１に記載の「十字装飾５０３」および「インナーレンズ５０４」が本願発明の装飾部に相当するとする判断がなされている。
　引用文献１の記載から、「十字装飾５０３」および「インナーレンズ５０４」は、上方から視認されるような装飾であることは確かではあるが、側方から視認されるような装飾であるかどうか（「十字装飾５０３」および「インナーレンズ５０４」が側方から視認可能な装飾を有するものであるかどうか）は定かではない。「十字装飾５０３」および「インナーレンズ５０４」が構成する部分は平板状（薄い）ものであるし、押しボタン装置５０が通常時にあるときは、皿前ボタン５０２はベゼル５０１からわずかしか上方に突出した状態にないのである（図３等から明らか）から、「十字装飾５０３」および「インナーレンズ５０４」が側方から視認されるようなものと捉えることはむしろ妥当であるとは言えないと思料する。
３−２）本願発明は、側方から視認されるような装飾部の露出部分が移動部材の移動に伴って変化することを前提としてなされたものであるから、側方から視認されるような装飾を開示するとは言えない引用文献１に記載の発明に変更を加え、本願発明のようにすることが容易であるとはいえない。
　よって、本願発明は、引用文献１の存在を理由として、特許法第２９条第２項の規定により拒絶されるべきものであるとは言えない。」
　審判請求人の上記主張について検討する。
　審判請求人の主張の要点は、引用発明の「十字装飾５０３」および「インナーレンズ５０４」が側方から視認されるものではないとのことである。
　しかし、当審の判断は、引用発明は、構成ｃ、ｄ’、ｅ、ｆとして認定したとおり、「・・・パチンコ機１の正面側の側方から見ると、・・・前記十字装飾５０３の上面のすべてと、前記正面側に面する十字装飾５０３の側面のうちパチンコ機１の正面側に面したベゼル５０１の装飾部５０１ｂの最上部よりも上方に位置する上方の一部分を隠すものが存在しないが、前記正面側に面する十字装飾５０３の側面のうちベゼル５０１の装飾部５０１ｂの最上部よりも下方に位置する部分はベゼル５０１によって隠れた状態である一方、
　押しボタン装置５０の押し込み時では、・・・前記十字装飾５０３の上面の大部分を隠すものが存在しないが、少なくとも前記正面側に面する十字装飾５０３の側面すべてがベゼル５０１によって隠れた状態・・・」（上記「第２　本願発明について」「４．引用発明」参照。）となるものであって、この認定を基に、「・・・引用発明が、「パチンコ機１の正面側の側方から見ると」、「押しボタン装置５０が押し込まれていない通常時では」、「前記十字装飾５０３の上面のすべてと、前記正面側に面する十字装飾５０３の側面のうち上方の一部分を隠すものが存在しない」こと、及び、「押しボタン装置５０の押し込み時では」、「前記十字装飾５０３の上面の大部分を隠すものが存在しないが、前記正面側に面する十字装飾５０３の側面はベゼル５０１によって隠れた状態である」ことは、すなわち、「パチンコ機１の正面側の側方から見ると」、「押しボタン装置５０が押し込まれていない通常時では」、「前記十字装飾５０３の上面のすべてと、前記正面側に面する十字装飾５０３の側面のうち上方の一部分」が視認可能であり、また、「押しボタン装置５０の押し込み時では」、「前記十字装飾５０３の上面の大部分」が視認可能であるといえるから、引用発明の「十字装飾５０３が嵌め込まれ」た「インナーレンズ５０４」（本願発明の「装飾部」に相当。）は、「側方から視認可能となるように形成された装飾部」であるということができる。・・・」（上記「第２　本願発明について」同「５．対比」「ウ　　発明特定事項Ｃについて」参照。）と判断を示したとおり、引用発明の「十字装飾５０３」は、側方から視認されるものということができる。
　したがって、審判請求人の上記主張を採用することはできない。
９．結論 
　以上のことから、本願発明は、引用発明及び本願優先権主張日前における慣用手段に基いて当業者が容易に発明をすることができたものであるか、あるいは、引用発明に基いて当業者が容易に発明をすることができたものであるから、特許法第２９条第２項の規定により特許を受けることができない。
　したがって、その他の請求項について検討するまでもなく、本願は拒絶されるべきものである。
　よって、結論のとおり審決する。